(57)【要約】  サンダル（１０）のごとき履き物は「ピンテール」、「スワローテール」、及び「正方形テール」のようなサーフボードのデザインを複製している形状を備える底部（１１）を有しかつ脚紐（１６）、ストリンガ（６２０）、ヒップ又はフライヤ（４３０，４３１）、隆起させたヒールグリップ（８４０）及び１つ、２つ又は３つのフィンの装飾を組み込むことができる。隆起させたヒールグリップ（８４０）は装着者のヒールに対する支持及び／又は把持を備える。履き物は、また、ボディサーファー用の手持ちサーファーとして使用されかつ装着者のリストに着脱可能なリストストラップを組み込むことができる。
2007508071.tif 000002
【特許請求の範囲】
【請求項１】
底部を有する履き物であって、少なくとも底部がサーフボードのテール形状を模写するように形成されることを特徴とする履き物。
【請求項２】
底部の下側はサーフボードの１つ乃至３つのフィンを模写するような形状又は装飾を組み込んでいることを特徴とする請求項１に記載の履き物。
【請求項３】
２つ又はそれ以上のフィンは高くされたヒール部分を形成するように底部の下に延在することを特徴とする請求項２に記載の履き物。
【請求項４】
模写されるサーフボードのテール形状は（ａ）「ピンテール」、（ｂ）「スワローテール」、及び（ｃ）「正方形テール」を含むことを特徴とする請求項１に記載の履き物。
【請求項５】
底部の側部は前記テール形状を補足するために、サーフボードのヒップ又はフライヤを模写しているヒップ又はフライヤを組み込むことを特徴とする請求項４に記載の履き物。
【請求項６】
底部はこの底部の上側にサーフボードのストリンガを模写している先端から後端に着色されたストリンガを組み込むことを特徴とする請求項１に記載の履き物。
【請求項７】
底部の上側はサーフボードのデッキグリップ又は「ゴリラグリップ」を模写するために高くなったヒールパッド、又はグリップを備えていることを特徴とする請求項１に記載の履き物。
【請求項８】
ヒールパッドは傾斜された前方に向けた面及びパターン付き又は輪郭上面を有しかつ装着者のヒールに対する支持及び／又は把持を備えることを特徴とする請求項７に記載の履き物。
【請求項９】
底部は脚紐孔、又は脚紐孔を模写している形状又は装飾を組み込むことを特徴とする請求項１に記載の履き物。
【請求項１０】
底部の上側はブランド付け、ラベル付け及び他のサーフボードの美的価値観を組み込むことを特徴とする請求項１に記載の履き物。
【請求項１１】
請求項１乃至１０のいずれか１項記載の履き物を含んでいることを特徴とするボディサーファー用の手持ちサーファー。
【請求項１２】
一端において底部に取付け可能でありかつ他端において装着者のリストに取付け可能なリストストラップを含んでいることを特徴とする請求項１１に記載の手持ちサーファー。
【請求項１３】
リストストラップは一端でループ及び他端で錠止ピンを備えた一定の長さのコード又はロープを有し、前記コード又はロープは装着者のリストに取着のために前記ループを通りかつ前記錠止ピンは前記底部の脚紐孔に係合可能になっていることを特徴とする請求項１２に記載の手持ちサーファー。
【請求項１４】
装着者の手及び／又は指に係合可能であって、底部の前方端から底部に対して横方向に延伸している前方ストラップを含んでいることを特徴とする請求項１１又は１２に記載の手持ちサーファー。
【発明の詳細な説明】
【技術分野】
【０００１】
本発明は履き物に関するものである。
【０００２】
本発明は、特にサンダルに適するが、それに限定するものではなく、「ゴム底ぞうり」として一般に知られる型式のサンダルを含む。
【０００３】
本発明は、また、胴体波乗り（ボディサーフィン）をするサーファーにより手持ちサーファー（ハンドサーファー）として使用され得る履き物に関するものである。
【背景技術】
【０００４】
履き物はそれを履いている人の足を保護するという実用的な要求を満たさねばならない一方、履き物は長くファッションアイテムであり、とくに若者のカジュアルな履き物であった。一般的に、成功するために、履き物製造業者は消費者の目に留まりかつ消費者を引き付ける特徴又はデザイン的な要素を持たねばならない。広く認識された商標が重要であるけれども、履き物市場への新たな参入はそれらが消費者の注意を引くデザイン的特徴を備えることができる場合に、著名なブランドに対して食い込むことができる。
【発明の開示】
【０００５】
本発明の目的は際立ったデザイン的な概念を備えた履き物、とくにサンダルを提供することにある。
【０００６】
本発明の好適な目的は、履き物に適用するのに安価でありかつ消費者を引き付けるかかるデザイン的概念を備えた履き物を提供することにある。
【０００７】
本発明のさらに他の好適な目的は、ゴム底ぞうりのごとき伝統的な履き物の形状とサーフボードのテール（尾部）形状を組み合わせて、著しく異なるゴム底ぞうり形状を有する履き物を提供することにある。
【０００８】
本発明のまた、さらに他の好適な目的は、ヒップ又はフライヤ、フィン、ストリンガ、脚紐孔、ブランド付け、ラベル付け及びデザインの美的価値観を含んでいる１つ又はそれ以上のサーフボード形状の特徴を模写するかかる形状を有する履き物を提供することにある。
【０００９】
本発明のまた、さらに他の好適な目的は、ボディサーファーにより手持ちサーファーとして使用することができる履き物を提供することにある。
【００１０】
本発明の他の好適な目的は以下の説明から明瞭である。
【００１１】
１つの実施態様において、本発明は底部（ソール）を有する履き物、好ましくはサンダルであって、その底部の少なくとも後方部分はサーフボードのテール形状を模写するように形成されている。
【００１２】
好ましくは、底部の下側はサーフボードの１つ乃至３つのフィンを模写するような形状又は装飾を組み込んでいる。
【００１３】
好適な実施形態において、２つ又はそれ以上のフィンは高くされたヒール部分を形成するように底部の下側に延伸することができる。
【００１４】
模写されたサーフボードのテール形状は、（ａ）「ピンテール」；（ｂ）「スワローテール」；及び（ｃ）「正方形テール」を含むことができる。
【００１５】
底部の側部はテール形状を補足するために、サーフボードのヒップ又はフライヤを模写しているヒップ又はフライヤを組み込むことができる。
【００１６】
テール形状は、また、サーフボードのストリンガを模写している先端から後端に着色されたストリンガを組み込むこともできる。
【００１７】
好ましくは、底部の上側は、例えば、サーフボードのデッキグリップ又はゴリラグリップ（ｇｏｒｉｌｌａ−ｇｒｉｐ）を模写するために、好ましくはグリップを有する高くなったヒールパッドを備えている。好ましくは、ヒールパッドは傾斜された前方に向けた面及びパターンつき又は輪郭上面を有しそして装着者（履いている人）のヒール（踵）に対する支持体及び／又は把持部を備えている。
【００１８】
底部は脚紐孔又は脚紐孔の形状又は装飾を模写している脚紐孔又は脚紐孔の形状又は装飾を組み込むこともできる。
【００１９】
底部の上側は、サーフボードを模写するために、ブランド付け、ラベル付け及び他のサーフボードの美的価値観を組み込むこともできる。
【００２０】
第２の実施態様において、本発明は上述されたような履き物であって、ボディサーファーによる手持ちサーファーとして使用するためのものである。
【００２１】
好ましくは、手持ちサーファーは一端で底部にかつ他端で装着者のリスト（手首）に取着可能なリストストラップを組み込んでいる。
【００２２】
好ましくは、手持ちサーファーは、装着者の手及び／又は指によって係合可能な、底部の前端に隣接して配置され、かつ底部に対して横方向に延伸している前方ストラップを有している。
【発明を実施するための好適な実施の形態】
【００２３】
前述したように、本発明は際立ったデザイン概念を生じさせるためにサーフボードの形状及び美的価値観を模写するデザイン的特徴を組み込んだ履き物、好ましくは、ゴム底ぞうりのごときサンダル型の履き物の底部のデザインに向けられている。
【００２４】
特に、以下で説明されるような好適な実施形態に例示されるように、底部はサーフボードの以下の特徴の１つ又はそれ以上を模写することができる。
【００２５】
（ａ）  テール形状  −  「ピンテール」、「スワローテール」、及び「正方形テール」のごとき形成；
（ｂ）  ヒップ又はフライヤ  −  テール形状（及び美的価値観）を補足するために、側部分に切られた１つ又はそれ以上のヒップ又はフライヤ；
（ｃ）  高くなったヒールパッド  −  装着者のヒール支持体、追加のグリップ及びより長い耐久力のあるヒール底部を備えるため；
（ｄ）  フィンシステム  −  単一のフィン、２つのフィン又は３つのフィン配置を模写する底部の下側の装飾；
（ｅ）  脚紐プラグ  −  脚紐プラグを模写する装飾；
（ｆ）  ストリンガ  −  すべてのサーフボード上の木製のストリンガを模写するため先端から後端への中央の装飾；及び
（ｇ）  芸術的な美的価値観  −  チャンピオンサーファーのサイン／承認のグラフィックを含んでいるブランド付け、ラベル付け及び芸術的な美的価値観を模写するための、好ましくは、底部分の上側の装飾。
【００２６】
図１の（ａ）乃至（ｇ）はゴム底ぞうり型のサンダル１０（右足用）のそれぞれ正面図、側面図、上面図、後面図、側面図、上面斜視図及び下面斜視図を示しており、底部１１は単一のフライヤ３０を有する「ピンテール」サーフボード形状を模写するように形成された後方（又はヒール）部分１２と、下側の単一のフィン１５を模写するための装飾を有している。
【００２７】
底部１１の前方部分１３、及びストラップ１４は公知の形状にすることができかつ本発明の一部分を形成しないので、破線で示されている。
【００２８】
底部１１の中央部分（アーチ）２０は底部１１がサーフボードのデザイン的特徴及び大きさを正確に複製するのを保証するために通常のサンダルの幅よりも幅広にするのが好適である。幅広の中央部分又はアーチ２０は底部１１が後方部分に向かって先細状にしてあるので、即ちこの例では「ピンテール」にしてあるので、１つ又はそれ以上の側部ヒップ又はフライヤ３０を備えることができる。幅広の中央部分又はアーチ２０は５つすべてのサーフボードのデザイン形状を形成できかつヒール及び（前述されたような）高くなったヒールパッド用の十分な区域を備えることができる。
【００２９】
例えば、引き立っている色の材料からなる「単一のフィン」１５はサーフボードフィンを模写するために後方部分１２の下面に成型加工されるか又は固定されている。
【００３０】
底部１１を通る実際の孔にすることができるか、又は底部１１の下側に成型加工されるか又は固定されている引き立っている色の材料の１部分にすることができる「脚紐孔」１６はサーフボード上の脚紐孔を複製する。図示してない脚紐は脚紐孔１６から延伸させることができる。
【００３１】
図１の（ａ）乃至（ｇ）の実施形態は単一のフライヤ（単一のフィン）を有する「ピンテール」形状を模写するが、その形状は図４の（ａ）乃至（ｇ）を参照して後述されるように、１対のフライヤを組み込むように変形させることができ、そして装飾は２つ又は３つのフィンを模写することができる。
【００３２】
図２の（ａ）乃至（ｇ）は、底部２１１の後方部分（又はヒール部分）２１２がＶ−形状凹部２１７と、単一のフライヤ２３０と、１対の「フィン」２１５用の装飾とを有する「スワローテール」サーフボードを模写するサンダル２１０の図１の（ａ）乃至（ｇ）と同様な図を示している。
【００３３】
図３の（ａ）乃至（ｇ）は、底部４１１の後方部分（又はヒール）部分４１２が単一のフライヤ４３０と、３つのフィン４１５用の装飾とを有する「正方形テール」サーフボードを模写するサンダル４１０の図１の（ａ）乃至（ｇ）と同様な図を示している。
【００３４】
「２つのフィン」２１５及び「３つのフィン」４１５が高くなったヒール部を形成するために底部２１１，４１１の下面から下に延伸され得ることは当業者には容易に明らかとなる。
【００３５】
前述したように、底部１１，２１１，４１１は２つのフライヤ（後述されるような）及び所望ならば、単一、２つ又は３つのフィン用の装飾を組み込むように変形され得る。
【００３６】
図１の（ａ）乃至（ｇ）、図２の（ａ）乃至（ｇ）及び図３の（ａ）乃至（ｇ）に例示された３つの実施形態すべてにおいて、ヒール部分１２１，２１２，４１２はヒール区域に隣接する３つの変形サーフボード形状が模写され得るように縦長に延長されている。加えて、その長さは図５の（ａ）乃至（ｄ）に関して後述されるように高くなったヒールパッドを形成する形状を備えることができる。
【００３７】
図４の（ａ）乃至（ｇ）は図３の（ａ）乃至（ｇ）のサンダル４１０の変形された実施形態を示している。
【００３８】
サンダル６１０はサーフボードに沿って木製のストリンガを模写するために、つま先からヒール部分に底部６１１の上側に沿って中心に位置決めした引き立っている色の材料の「ストライプ」６２０を有している「図４の（ｃ）参照」。
【００３９】
図４の（ｅ）に示したように、３つのフィン６１５を模写している材料は底部６１１の下側にヒール部分を高く形成するために底部６１１の後方部分６１２（点線で示した通り）の下側に延伸され得る。
【００４０】
図３の底部４１１と図４の底部６１１とを比較するとき、図４の底部６１１においては、２つのヒップ又はフライヤ６３０，６３１が後方部分６１２の各側に沿って設けられるが、これに反して図３の底部４１１は各側ごとに１つのヒップ又はフライヤ４３０のみを有している。
【００４１】
前述したように、追加のヒップ又はフライヤを図１及び図２の底部１１，２１１にそれぞれ設けることができ、更に底部の下側に模写されるフィンの数も変化され得る。
【００４２】
図５の（ａ）乃至（ｄ）に関し、サンダル８１０は図２のサンダル２１０の底部分２１１のように「スワローテール」形状を備えているが、しかし図４の底部６１１のように２つのヒップ又はフライヤを備えている底部分８１１を有している。
【００４３】
隆起させたヒールグリップパッド８４０は後方部分８１２の上側に設けられそして図示された寸法はサイズ１１サンダル用のみの実施例により示されている。
【００４４】
ヒールグリップパッド８４０の実際の形状は変化され得るが、しかし、好ましくは、傾斜付きの前面８４１を有すると共にサーフボード上のデッキグリップ又はいわゆる「ゴリラグリップ」用のものと同一の方法において装着者のヒールをグリップ（把持）するためのパターン付き又は織り目付きの頂面８４２を有している。
【００４５】
ヒールグリップパッド８４０は前述した底部の形状のいずれか（例えば、「ピンテール」／単一又は２つフライヤ；「正方形テール／単一又は２つのフライヤ；「スワローテール」／単一又は２つフライヤ）に設けることができ、その場合に装飾は単一、２つ又は３つのフィン及び／又は木製のストリンガを模写することができる。ヒールグリップパッド８４０はサーフボードに使用されるデッキグリップを示唆するものでありかつそれを模写し、そして機能性及び美的魅力の両方を備える。
【００４６】
ヒールグリップパッド８４０は隆起させたヒール区域を設けるために底部８１１と一体に設けられ、この隆起させたヒール区域は歩行より早い速度で走行及び／又は行動するとき、隆起させたパッド付きの区域上に装着者のヒールを停止させることを保証するような十分な把持により、従来のゴム底ぞうりより非常に強いヒール支持を付与する性能の利点を提供する。
【００４７】
好ましくは、ヒールグリップパッド８４０はスーパーソフトスポンジ（ゴム又はプラスチック）材料、すなわち、底部８１１のバランスの材料より柔らかい材料から成形され、そしてそれは装着者のヒールの位置／把持を助けるために僅かに凹んだ凹面８４２を有することもできる。グリップパッド８４０の頂面８４２はそれに広い範囲の織り目／パターンを有することもできる。
【００４８】
隆起させたヒールグリップパッド８４０は長い耐久力のあるゴム底ぞうりを生じさせるという別の利点をも有している。加えて、このパッド８４０が「ゴリラグリップ」として知られているサーフボード上のデッキグリップを複製しているのでパッド８４０はさらにサーフボードを模写する底部８１１の精度を目立たせる。
【００４９】
サンダル１０，２１０，４１０，６１０，８１０は履きごこちが非常に良く、底部１１，２１１，４１１，６１１，８１１にフィットしたサンダル又は他の履き物に対して際立った美的魅力を提供する。
【００５０】
図１乃至図５に図示した形状は例としてのみ示したものであり、かつ本発明をそれらに限定するものではない。
【００５１】
種々の特徴により、底部はほとんど無限の数のサーフボードを模写することができる。高価でないモデルは例えばフィン、ストリンガ及び／又は脚紐を模写するための装飾を含まず、また隆起させたヒールグリップパッドを含める必要もない。種々の特徴を追加させるので、種々の価格範囲をカバーさせることができる。最高級のモデルは記載され／例示された特徴のすべてを含むことができ、そしてさらに、広い範囲のブランド付け／ラベル付け／美的オプションを含んでもよい。「限定版」又は「署名」ボードはチャンピオンサーファー／ボード形状／製造業者の署名／認証を含むことができる。
【００５２】
履き物に対するサーフボード形状の合体は一般的に消費者にかつ熱心でないサーファーにアピールするような可能性を持つ独特な際立ったデザイン的概念を生じさせる。
【００５３】
加えて、隆起させたヒールグリップパッドの装着は前述したような理由で機能的に改良された製品を提供する。
【００５４】
本発明は図示したゴム底ぞうり型のサンダルに限定するものではなく、しかも他のすべてのサンダルかつ他の型の履き物に適用することもできる。
【００５５】
図６、図７及び図８に関し、図１乃至図５に関連して前述された履き物はボディサーファー用の手持ちサーファーとして使用することができる。
【００５６】
手持ちサーファーは波乗りの波中で泳ぎ手の手助けになるように泳ぎ手の左手又は右手に装着される小舟である。
【００５７】
一般に、手持ちサーファーは浮き上がりの利点を手助けするようにストラップによって手に固定される幅の広いプラスチック又は発泡構造体を有している。
【００５８】
どのような小舟の助けもなしに波に乗ることはボディサーフィンと呼ばれている。ボディサーフィンをするとき、サーファーは波を捕らえかつ波の面から下に垂直なアクアプレーンに対して彼らの胴体及び手を使用する。ボディサーフィンをするために、サーファーは速度及びボディ区域を水面の頂部に維持しかつ波に沿って走行する必要がある。
【００５９】
経験を積んだボディサーファーは波の表面上を左右に進んで波に乗る。波の表面を横切るボディサーフィンはボディサーファーがより速い速度に達しかつ管状に又はバレル状になるのを経験することを可能にし、これは波が経験を積んだボディサーファーの上に水のシートを浴びせるときである。経験を積んだボディサーファーは波の強力な部分に乗りかつ彼自身／彼女自身完全な浮き上がり位置を保持しかつ波の底に押されていくのに抗する必要があり、波の底は波乗りの終りを意味する。
【００６０】
経験を積んだボディサーファーは左手又は右手に装着された手持ちサーファーによって補助され得る。手持ちサーファーによりボディサーフィンするとき、手持ちサーファーは操縦性、浮き上がり能力及び波乗りの長さを手助けするように制御された浮き上がり区域をボディサーファーに付与する。手持ちサーファーを使用するボディサーファーは波を横切って乗りながらサーフボードと同様な距離を走行することができる。手持ちサーファーはとくにボディサーファーのために作られた高性能の小舟である。
【００６１】
本発明の履き物はボディサーファーのための水面浮き上がり行動（アクアプランニングパフォーマンス）を手助けするための手持ちサーファーとして使用することができる。
【００６２】
図６及び図７に関し、第１の実施形態の手持ちサーファー１０１０は図１乃至図５に関連して前述した形状／装飾、例えば、単一のフライヤ１０３０を備えた正方形テール１０１２を有する底部１０１１を有している。
【００６３】
好ましくは、脚紐は一端において例えば脚紐孔において底部１０１１に係止されかつ他端において装着者のリスト１０９０のまわりに離脱可能に接続（例えば、ベルクロ（商標）テープ）されているリストストラップ１０７０に代用されている。
【００６４】
図示したように、装着者は例えば、つま先ストラップ１０１４ａの１側に親指１０９２と人差し指１０９３を位置させ、他側に残りの指１０９４−１０９６を置いて、底部１０１１の前端に隣接させて前方ストラップ１０１４の下に自分の手１０９１を配置させる。
【００６５】
底部１０１１の軽量の耐水材料は浮動及び浮き上がりの双方の利点を備えるために浮力がある。底部１０１１の独特のサーフボードのテール形状は底部１０１１の後方部分１０１２の形状によるサーフボード状反応により、水面の頂部上でアクアプレーンに乗るのを可能にする。１つ又は複数のフライヤ１０３０はまたサーフボード状反応を備えるのを助ける。
【００６６】
リストストラップ１０７０はサーフボードの脚紐と同じ方法で作用する。リストストラップ１０７０は手持ちサーファー１０１０がボディサーフィン及び／又は後の転倒（ワイプアウト）中に装着者に取着されたままの状態で留まることを保証する。
【００６７】
底部１０１１は装着者の手１０９１より大きな表面積を有し、そしてより幅広であるので、手のみより大きな浮き上がり利点を付与する。
【００６８】
履き物は手１０９１にフィットしかつ固定し易くなっており、そして適用されるとき即座に手持ちサーファーとなる。図示されたように、手持ちサーファー１０１０は手１０９２に容易に嵌合されかつ最終の位置決め及び保持は親指１０９２及び小指１０９６によって行なわれる。人差し指１０９３と中指１０９との間のつま先ストラップ１０１４ａは装着者の手１０９１に関して手持ちサーファー１０１０の横方向の位置を備える。ボディサーフィンを終了したとき、装着者はリストストラップ１０７０を取り外しかつ手持ちサーファー１０１０を履き物として使用することができる。
【００６９】
図８の（ａ）乃至（ｈ）は底部１２１１のヒール部分１２１２が単一のフライヤ１２３０を有する「スワローテール」形状からなる手持ちサーファー１２１０の第２の実施形態を示している。
【００７０】
この実施形態において、リストストラップ１２７０は一端においてループ１２７２を有し、他端において錠止ピン１２７３を有する一定の長さのコード又はロープ１２７１からなっている。
【００７１】
図８の（ａ），（ｂ），（ｄ）及び（ｅ）に示されるように、コード又はロープ１２７１は装着者のリスト（図示せず）に固定されるような調整可能なループを形成するようにループ１２７２に通される。
【００７２】
錠止ピン１２７３は脚紐孔１２１６（図８の（ｆ）参照）を通して挿入され、底部１２１１のヒール部分１２１２（図８の（ｇ）参照）の下に横方向に配置され、そしてコード１２７１は底部１２１１の下側（図８の（ｈ）参照）に対して錠止ピン１２７３を配置するように引っ張られる。
【００７３】
リストストラップ１２７０を解放するためには、図８の（ｆ）乃至（ｈ）の工程を逆に行う。
【００７４】
本発明の二重の資格、すなわち、履き物と手持ちサーファーは履き物の底部のヒール部分に模写されているサーフボードテール形状のため独特である。
【００７５】
本発明から逸脱することなく図示した実施形態に各種の変形及び変更を行うことができる。
【図面の簡単な説明】
【００７６】
【図１】（ａ）乃至（ｇ）はサンダルに適用されるとき、単一のフライヤ形状を備える「ピンテール」サーフボード形状を複製している底部を有する履き物の正面図、側面図、上面図、底面図、後面図、上面及び下面の斜視図である。
【図２】（ａ）乃至（ｇ）は単一のフライヤを有する「スワローテール」サーフボード形状を複製している底部を有する履き物の図１の（ａ）乃至（ｇ）と同様な図である。
【図３】（ａ）乃至（ｇ）は単一のフライヤを有する「正方形テール」サーフボード形状を複製している底部を有する履き物の図１の（ａ）乃至（ｇ）と同様な図である。
【図４】（ａ）乃至（ｇ）は２つのフライヤを有する「正方形テール」サーフボード形状を複製している底部を有する履き物の図１の（ａ）乃至（ｇ）と同様な図である。
【図５】（ａ）乃至（ｄ）は隆起させたヒールグリップを有する「スワローテール」サーフボード形状を複製している底部を有する履き物の正面図、側面図、上面図及び後面図である。
【図６】手持ちサーファーとして使用される履き物の第１の実施形態を示す上面図である。
【図７】手持ちサーファーとして使用される履き物の第１の実施形態を示す側面図である。
【図８】手持ちサーファーとして使用される履き物の第２の実施形態を示す側面図、上面図、底面図及び斜視図、リストストラップの斜視図及びリストストラップの嵌合状態を示している端面図である。
【符号の説明】
【００７７】
１０，２１０，４１０，６１０，８１０      サンダル
１１，２１１，４１１，６１１，８１１      底部
１２，２１２，４１２，６１２，８１２      ヒール部分
１３                                      前方部分
１４，６２０，１０１４                    前方ストラップ
１５，２１５，４１５，６１５              フィン
１６，１２１６                            脚紐孔
２０                                      中央部分
３０，２３０，４３０，１０３０，１２３０  フライヤ
２１７                                    凹部
６２０                                    ストライプ
８４０                                    ヒールグリップパッド
１０１０，１２１０                        手持ちサーファー
１０７０，１２７０                        リストストラップ
【図１】
2007508071.tif 000003
【図２】
2007508071.tif 000004
【図３】
2007508071.tif 000005
【図４】
2007508071.tif 000006
【図５】
2007508071.tif 000007
【図６】
2007508071.tif 000008
【図７】
2007508071.tif 000009
【図８】
2007508071.tif 000010
【国際調査報告】
2007508071.tif 000011
2007508071.tif 000012
2007508071.tif 000013